(57)【要約】【課題】  アナログ表示とともにデジタル表示を行うことができる腕時計において、液晶パネル特有の欠点を解消する一方、デザイン的な制約を少なくするとともに、デジタル表示を大きく見やすくする。【解決手段】  文字板２４の裏側に遮光板２２を備え、その遮光板に表裏を貫通する複数の光透過孔２３をあけ、その光透過孔に薄型チップＬＥＤ１７を挿入してそのＬＥＤを取り付ける回路基板１６を遮光板の裏側に配置し、その回路基板の裏側にアナログムーブメント１３を設けるとともに、回路基板の裏側に、ＬＥＤを駆動するＬＥＤ駆動回路３３を配置する。これにより、文字板の裏側にデジタル表示用ＬＥＤ１７を配置する。そして、そのＬＥＤを点灯したときのみＬＥＤのデジタル表示を文字板を透して視認し得る光透過率で、文字板を形成する。【選択図】      図１
2006300916.tif 000002
【特許請求の範囲】
【請求項１】
文字板の裏側にデジタル表示用ＬＥＤを配置するとともに、
そのＬＥＤを点灯したときのみ前記ＬＥＤのデジタル表示を前記文字板を透して視認し得る光透過率で、前記文字板を形成することを特徴とする、アナログ腕時計。
【請求項２】
前記文字板を、透明材料に塗装を施して形成することを特徴とする、請求項１に記載のアナログ腕時計。
【請求項３】
前記文字板を色付きの半透明材料を用いて形成することを特徴とする、請求項１に記載のアナログ腕時計。
【請求項４】
前記文字板の裏側に遮光板を備え、その遮光板に表裏を貫通する複数の光透過孔をあけ、その光透過孔を透過して前記ＬＥＤの光を前記文字板に当てることを特徴とする、請求項１ないし３のいずれか１に記載のアナログ腕時計。
【請求項５】
前記遮光板を、遮光性の高い樹脂材料を用いて形成し、前記光透過孔の内面に光を拡散する塗装を施すことを特徴とする、請求項４に記載のアナログ腕時計。
【請求項６】
前記遮光板を、光反射率の高い樹脂材料を用いて形成し、前記遮光板の板面に光を遮る塗装を施すことを特徴とする、請求項４に記載のアナログ腕時計。
【請求項７】
前記光透過孔に対応する位置に前記ＬＥＤを取り付ける回路基板を前記遮光板の裏側に配置し、
その回路基板の裏側にアナログムーブメントを設け、その運針軸を前記回路基板から前記遮光板を通して前記文字板まで貫通して先端を前記文字板の表側に露出するとともに、
前記回路基板の裏側に、前記ＬＥＤを駆動するＬＥＤ駆動回路を配置する、
ことを特徴とする、請求項１ないし６のいずれか１に記載のアナログ腕時計。
【請求項８】
前記運針軸が貫通する前記回路基板の中心孔を挟んで前記ＬＥＤを設け、それらのＬＥＤを用いてコロンを構成することを特徴とする、請求項７に記載のアナログ腕時計。
【請求項９】
前記コロンを挟んで、前記ＬＥＤを用いて構成した７セグメントを２つずつ振り分けて配置することを特徴とする、請求項８に記載のアナログ腕時計。
【請求項１０】
前記光透過孔ごとにそれぞれ前記ＬＥＤを各１つずつ対応して設けることを特徴とする、請求項７ないし９のいずれか１に記載のアナログ腕時計。
【請求項１１】
前記文字板の、少なくとも前記光透過孔に対応する位置に光拡散加工を施すことを特徴とする、請求項１０に記載のアナログ腕時計。
【請求項１２】
前記ＬＥＤ駆動回路に、外部操作に基づき前記ＬＥＤのすべてを点灯することができるＬＥＤ駆動態様を備えることを特徴とする、請求項１ないし１１のいずれか１に記載のアナログ腕時計。
【請求項１３】
前記ＬＥＤ駆動回路に、外部操作に基づき付加計時機能を働かせることができるＬＥＤ駆動態様を備えることを特徴とする、請求項１ないし１２のいずれか１に記載のアナログ腕時計。
【請求項１４】
電源として二次電池を使用することを特徴とする、請求項１ないし１３のいずれか１に記載のアナログ腕時計。
【請求項１５】
二次コイルを備え、電磁誘導方式を用いて前記二次電池を充電可能とすることを特徴とする、請求項１ないし１４のいずれか１に記載のアナログ腕時計。
【発明の詳細な説明】
【技術分野】
【０００１】
この発明は、時刻をアナログ表示するとともに、必要に応じて、ＬＥＤを用いて時刻、月日、曜日などをデジタル表示することができるアナログ腕時計に関するものである。
【背景技術】
【０００２】
従来、アナログ表示とともにデジタル表示を行う腕時計では、デジタル表示用として消費電力の少ない液晶パネルを用い、例えば文字板にデジタル表示窓を開けてその位置に液晶パネルを配置したり、アナログ表示部分に並べて別体の液晶パネルを配置したり、風防ガラスの内側に液晶パネルを配置したりしていた。
【０００３】
【特許文献１】特開２００４-５３３４２号公報
【特許文献２】特開平０８-１２２４６８号公報
【特許文献３】実開昭５４-１７２７６６号公報
【発明の開示】
【発明が解決しようとする課題】
【０００４】
ところが、液晶パネルには、色に制約があり、表示色が黒で見栄えが悪く、趣きがない欠点があった。また、夜など暗いところでは表示が見にくい欠点があることから、照明光源を設ける必要があり、液晶パネルのバックライトとしてＥＬを用いたり、液晶パネルを横から照射するＬＥＤを使用したりしていた。一方、アナログ表示とともにデジタル表示を行うには、上述したとおり、文字板に表示窓を開けたりしなければならず、デザイン的に制約を受け、また表示が小さくなって見にくくなるなどの問題があった。例えば特許文献２に記載されるように、ＬＥＤによりデジタル表示する時計もあるが、アナログムーブメントとＬＥＤとを同一平面に並べて配置するため、表示が小さくなってしまっていた。
【０００５】
そこで、この発明の第１の目的は、アナログ表示とともにデジタル表示を行うことができる腕時計において、液晶パネル特有の欠点を解消する一方、デザイン的な制約を少なくするとともに、デジタル表示を大きく見やすくすることを目的とする。
【０００６】
この発明の第２の目的は、表示文字の輪郭を明確に区画して、デジタル表示を明瞭かつきれいに行うことにある。
【０００７】
この発明の第３の目的は、デジタル表示を部分的に明暗のムラを生ずることなく、全体を均一かつきれいに表示することにある。
【０００８】
この発明の第４の目的は、構成部品をコンパクトにまとめて全体を小型化することにある。
【０００９】
この発明の第５の目的は、アナログ表示とデジタル表示をともに大きく見やすく表示することにある。
【００１０】
また、例えば特許文献３に記載されるように、ドットＬＥＤを使用する構成では、ひとつの数字を表示するのにたくさんのＬＥＤを必要とすることとなり、駆動回路が複雑になるばかりか、コスト高となる問題があった。
【００１１】
そこで、この発明の第６の目的は、ＬＥＤの数を少なくし、駆動回路を簡素化してコストダウンを図ることにある。
【００１２】
ところで、ＬＥＤの数を少なくし、駆動回路構成を簡素化してコストダウンを図ると、ＬＥＤの表示が文字板に到達するまでに広がりきらずに、デジタル表示をきれいに行うことができない問題があった。
【００１３】
そこで、この発明の第７の目的は、きれいなデジタル表示を行うことができるようにすることにある。
【００１４】
他方、照明用光源を備える腕時計としては、従来、見切り部分にＬＥＤを置き、文字板を横から照射したり、ＬＥＤの光を導光板を用いて文字板の裏側に導きバックライトとして照射したり、ＥＬをバックライトとして使用したりするものなどがあった。しかし、いずれも大型化したり見栄えがよくなかったりする問題があった。
【００１５】
そこで、この発明の第８の目的は、アナログ表示とともにデジタル表示を行うことができる腕時計において、大型化したり見栄えを悪くしたりすることなく、時計まわりを照らす照明装置としても利用可能とすることにある。
【００１６】
この発明の第９の目的は、アナログ表示とともにデジタル表示を行うことができる腕時計において、機能アップしてより付加価値を高めることにある。
【００１７】
また、一次電池を電源とする照明機能付き腕時計では、一次電池のサイズが小さく電池容量に限りがあった。このため、照明光源を何度も使用すると、すぐに電池容量が空になり、電池を交換しなければならなかった。しかし、腕時計の多くは、防水機能を備えており、ユーザー個人で電池交換が難しく、専門店で電池交換することになり、非常に煩わしいものであった。そして、電池の消耗を早めることから、ＬＥＤの明るさを明るくしたり、照明の点灯時間を長くしたりすることもできなかった。
【００１８】
そこで、この発明の第１０の目的は、電池寿命を気にすることなく、かつ電池交換の煩わしさや費用を気にすることなく、照明機能を存分に使い得るようにすることにある。
【００１９】
さて、太陽電池を用いるものでは、文字板を太陽電池でつくるから、文字板の形状やデザインが制約を受け、また屋内での使用や冬場の使用など、使用条件によっては十分な充電量を得ることができなかった。他方、直接端子を接続して充電するものでは、腕時計ケースに端子を付ける構造が必要になり、腕時計ケースの形状が特殊な形状になって、防水機能が複雑になるなどの問題があった。
【００２０】
そこで、この発明の第１１の目的は、デザイン上の制約がないとともに、防水構造を複雑にすることなく、簡単かつ確実な充電を可能とすることにある。
【課題を解決するための手段】
【００２１】
この発明は、上述した第１の目的を達成すべく、アナログ腕時計において、文字板の裏側にデジタル表示用ＬＥＤを配置するとともに、そのＬＥＤを点灯したときのみ前記ＬＥＤのデジタル表示を前記文字板を透して視認し得る光透過率で、前記文字板を形成する、ことを特徴とする。
【００２２】
そして、アナログ表示とともにデジタル表示を行うことができる腕時計において、通常時は、ＬＥＤを点灯せず、時刻をアナログ表示する。暗い場所で時刻等を確認したいときなど、必要に応じ、ＬＥＤを点灯して文字板を透して時刻、月日、曜日等をデジタル表示する。
【００２３】
前記文字板は、例えば、透明材料に塗装を施して形成したり、色付きの半透明材料を用いて形成したりし、その光透過率を１〜７０％とするとよい。
【００２４】
そして、上述した第２の目的を達成すべく、例えば、前記文字板の裏側に遮光板を備え、その遮光板に表裏を貫通する複数の光透過孔をあけ、その光透過孔を透過して前記ＬＥＤの光を前記文字板に当てる構成とするとよい。
【００２５】
ここで、上述した第３の目的を達成すべく、遮光板は、遮光性の高い樹脂材料を用いて形成し、前記光透過孔の内面に光を拡散する塗装を施したり、光反射率の高い樹脂材料を用いて形成し、前記遮光板の板面に光を遮る塗装を施したりする。
【００２６】
そして、上述した第４の目的を達成すべく、前記光透過孔に対応する位置に前記ＬＥＤを取り付ける回路基板を前記遮光板の裏側に配置し、その回路基板の裏側にアナログムーブメントを設け、その運針軸を前記回路基板から前記遮光板を通して前記文字板まで貫通して先端を前記文字板の表側に露出するとともに、前記回路基板の裏側に、前記ＬＥＤを駆動するＬＥＤ駆動回路を配置する構成とするとよい。
【００２７】
このとき、上述した第５の目的を達成すべく、前記運針軸が貫通する前記回路基板の中心孔を挟んで前記ＬＥＤを設け、それらのＬＥＤを用いてコロンを構成するとよい。そして、前記コロンを挟んで、前記ＬＥＤを用いて構成した７セグメントを２つずつ振り分けて配置するとよい。
【００２８】
また、上述した第６の目的を達成すべく、前記光透過孔ごとにそれぞれ前記ＬＥＤを各１つずつ対応して設けるとよく、このとき上述した第７の目的を達成すべく、前記文字板の、少なくとも前記光透過孔に対応する位置に光拡散加工を施すとよい。
【００２９】
上述した第８の目的を達成すべく、前記ＬＥＤ駆動回路に、外部操作に基づき前記ＬＥＤのすべてを点灯することができるＬＥＤ駆動態様を備えるとよい。また、上述した第９の目的を達成すべく、前記ＬＥＤ駆動回路に、外部操作に基づき、ストップウォッチ、アラーム、タイマ等の付加計時機能を働かせることができるＬＥＤ駆動態様を備えるようにしてもよい。
【００３０】
さらに、上述した第１０の目的を達成すべく、電源として二次電池を使用するとよく、そのとき上述した第１１の目的を達成すべく、二次コイルを備え、電磁誘導方式を用いて前記二次電池を充電可能とするとよい。
【発明の効果】
【００３１】
この発明によれば、アナログ表示とともにデジタル表示を行うことができる腕時計において、通常時は、ＬＥＤを点灯せず、時刻をアナログ表示し、文字板で隠してＬＥＤが見えないようにし、文字板にデジタル表示窓を開けたりする必要をなくしてデザイン上の制約を少なくし、デザイン上の多様性を確保することができる。また、暗い場所などで、必要に応じ、ＬＥＤを点灯して文字板を透して時刻、月日、曜日等をデジタル表示するので、種々の色で、暗いところでも明るく表示し、表示の見栄えが悪いとか暗いところでは見にくいとかの液晶パネル特有の欠点を解消する一方、デジタル表示を文字板いっぱいに大きく見やすく表示することができる。また、表示内容によって色を変えることも可能である。
【００３２】
文字板は、例えば、透明材料に塗装を施して形成したり、色付きの半透明材料を用いて形成したりし、その光透過率を１〜７０％とすることで、通常時は、ＬＥＤを点灯せず、すっきりとアナログ表示し、必要に応じ、ＬＥＤを点灯して文字板を透して時刻、月日、曜日等を確実にデジタル表示することができる。
【００３３】
請求項５に記載の発明によれば、遮光板の光透過孔を透過してＬＥＤの光を文字板に当てるので、光透過孔で表示文字の輪郭を明確に区画して、デジタル表示を明瞭かつきれいに行うことができる。
【００３４】
請求項６および７に記載の発明によれば、遮光板の光透過孔内を通過する光を光透過孔の内面で反射して拡散し、デジタル表示を部分的に明暗のムラを生ずることなく、全体を均一かつきれいに表示することができる。
【００３５】
請求項８に記載の発明によれば、遮光板、回路基板、アナログムーブメント、ＬＥＤ駆動回路などの構成部品をコンパクトにまとめて全体を小型化することができる。
【００３６】
請求項９に記載の発明によれば、運針軸が貫通する回路基板の中心孔を挟んでＬＥＤを設け、それらのＬＥＤを用いてコロンを構成することで、アナログ表示とともにデジタル表示も文字板いっぱいに表示可能とし、アナログ表示とデジタル表示をともに大きく見やすく表示することができる。
【００３７】
請求項１０に記載の発明によれば、回路基板の中心孔を挟んで、ＬＥＤを用いて構成したコロンを設け、そのコロンを挟んで、ＬＥＤを用いて構成した７セグメントを２つずつ振り分けて配置するので、文字板に近い大きさの回路基板を用い、その回路基板いっぱいに７セグメントを配置することにより文字板を有効に利用してデジタル表示を大きく見やすくすることができる。
【００３８】
請求項１１に記載の発明によれば、光透過孔ごとにそれぞれＬＥＤを各１つずつ対応して設けるので、ＬＥＤの数を少なくし、駆動回路構成を簡素化してコストダウンを図ることができる。
【００３９】
請求項１２に記載の発明によれば、文字板の、少なくとも光透過孔に対応する位置に光拡散加工を施すので、ＬＥＤの数を少なくしたとしても、そのＬＥＤの光を拡散して光透過孔に光を均一に透過し、きれいなデジタル表示を行うことができる。
【００４０】
請求項１３に記載の発明によれば、ＬＥＤ駆動回路に、外部操作に基づきＬＥＤのすべてを点灯するＬＥＤ駆動態様を備えるので、別途照明光源を必要とせず、明かりが必要なところでは、外部操作によりＬＥＤ駆動回路を働かせてＬＥＤのすべてを点灯し、時計まわりを照らす照明装置としても利用することができる。時刻等の表示用ＬＥＤをそのまま照明用としても利用し、大型化したり見栄えを悪くしたりすることがない。
【００４１】
請求項１４に記載の発明によれば、ＬＥＤ駆動回路に、外部操作に基づき、ストップウォッチ、アラーム、タイマ等の付加計時機能を働かせるＬＥＤ駆動態様を備えるので、アナログ表示とともにデジタル表示を行うことができる腕時計において、機能アップしてさらに付加価値を高めることができる。
【００４２】
請求項１５に記載の発明によれば、電源として二次電池を使用するので、ＬＥＤを多用することにより電池がなくなっても電池交換をすることなく充電するだけでよいから、電池寿命を気にする必要なく、かつ電池交換の煩わしさや費用を気にすることなく、照明機能を存分に使うことができる。これにより、液晶パネルに比べて消費電力の大きいＬＥＤを用いてデジタル表示を行うことによる欠点を解消することができる。
【００４３】
請求項１６に記載の発明によれば、二次コイルを備え、電磁誘導方式を用いて二次電池を充電可能とするので、デザイン上の制約を受けないとともに、防水構造を複雑にすることなく、簡単かつ確実な充電を可能とすることができる。
【発明を実施するための最良の形態】
【００４４】
以下、図面を参照しつつ、この発明の実施の最良形態につき説明する。
図１には、デジタル表示を行うことができるアナログ腕時計を示す。
【００４５】
図示腕時計は、腕時計ケース１０の表側に風防ガラス１１を固着し、裏側に裏ブタ１２をねじ付けて取り付ける。裏ブタ１２は、非磁性材である、プラスチックや、強磁性体でない金属などを用いてつくる。
【００４６】
腕時計ケース１０内には、アナログムーブメント１３を樹脂製の中枠１４で固定して収納する。ムーブメント１３には、中心に時針、分針、秒針用の運針軸１５を同心にて立てて設ける。そして、ムーブメント１３には、円盤状の回路基板１６を重ね合わせる。回路基板１６には、例えば縦が1.6mm以下、横が0.8mm以下で、厚さ0.8mm以下の薄型チップＬＥＤ（デジタル表示用ＬＥＤ）１７を複数取り付ける。
【００４７】
そして、図２に示すように、７つのＬＥＤ１７を用いて１つの７セグメント１８を構成し、数字の８の字を形成するその７セグメント１８を平面的に４つ並べる。回路基板１６には、中心に中心孔ａをあけ、その中心孔ａを挟んで上下に１つずつ設けたＬＥＤ１７を用いてコロン１９を構成し、そのコロン１９を挟んで左右に７セグメント１８を２つずつ振り分けて配置する。
【００４８】
回路基板１６は、それより多少厚い遮光板２２に重ねて取り付け、その遮光板２２で支持する。遮光板２２には、表裏を貫通して複数の光透過孔２３を開ける。光透過孔２３は、図３に示すように、回路基板１６の各薄型チップＬＥＤ１７に対向して開け、各光透過孔２３ごとにそれぞれ前記ＬＥＤ１７を各１つずつ対応して設け、遮光板２２の裏側に回路基板１６を取り付けたとき薄型チップＬＥＤ１７を挿入する。そして、遮光板２２に回路基板１６を重ね合わせても、厚さ1.5mm以下となるように構成する。
【００４９】
遮光板２２は、例えば図４（Ａ）に示すように、遮光性の高い黒色等の濃い色の樹脂材料を用いて形成する。そして、光透過孔２３の内面に、例えば白色の塗装など、光を拡散する塗装５０を施す。そして、光透過孔２３を透過する光を、光を拡散する塗装５０を施した光透過孔２３の内面で反射して拡散し、文字板２４の裏面を均一に照射する。
【００５０】
または、図５（Ｂ）に示すように、光反射率の高い樹脂材料を用いて形成し、遮光板２２の表面に光を遮る塗装５１を施す。そして、光透過孔２３を透過する光を、光反射率の高い樹脂材料でできた光透過孔２３の内面で反射して拡散し、文字板２４の裏面を均一に照射する。
【００５１】
これにより、遮光板２２の光透過孔２３内を通過する光を光透過孔２３の内面で反射して拡散し、後述の文字板２４の裏面を均一に照射してデジタル表示を部分的に明暗のムラを生ずることなく、全体を均一かつきれいに表示することができる。
【００５２】
遮光板２２には、表面に、時刻数字や時字等の時刻表示を有する文字板２４を重ね合わせる。文字板２４は、例えば、プラスチックやガラス等よりなる透明材料の表面に印刷等により塗装を施して形成したり、プラスチックやガラス等よりなる色付きの半透明材料を用いて形成したりし、デジタル表示用ＬＥＤ１７を点灯したときのみＬＥＤ１７のデジタル表示を文字板２４を透して視認し得る光透過率で形成する。好ましくは、その光透過率を１〜７０％とする。そして、文字板２４の周縁を腕時計ケース１０の見切り部に当てて、全体を腕時計ケース１０内に収納する。
【００５３】
ところで、文字板２４には、少なくとも光透過孔２３に対応する位置に光拡散加工を施す。例えば図５（Ａ）に示すように、透明な樹脂板４０の表面に時刻表示４１を設け、裏面に色印刷４２を行って樹脂板４０に色を付けてから、外側に光拡散用の白印刷４３を行って構成する。光拡散用の印刷は、ＬＥＤ１７からの光を拡散できれば、もちろん白色インクに限らない。
【００５４】
また、図５（Ｂ）に示すように、あらかじめ着色した材料を用いて樹脂板４０をつくり、その樹脂板４０の表面に時刻表示４１を設ける一方、裏面に光を拡散させる数μｍ〜数十μｍの凹凸４４を形成する。さらに、図５（Ｃ）に示すように、あらかじめ着色した材料を用いてつくった樹脂板４０の表面に時刻表示４１を設ける一方、裏面に光を拡散させる光拡散用の印刷４５を行う。光拡散用の印刷４３・４５や凹凸４４は、樹脂板４０の全面でなくても、少なくとも光透過孔２３に対応する位置に設ければよい。
【００５５】
このようにして、文字板２４の裏側に遮光板２２を備え、その遮光板２２の裏側に回路基板１６を配置し、回路基板１６の裏側にムーブメント１３を設ける。これにより、文字板２４の裏側に、回路基板１６上のデジタル表示用ＬＥＤ１７を配置する。
【００５６】
なお、運針軸１５は、回路基板１６の中心孔ａから遮光板２２の中心孔（図３において符号ｂで示す）を通して文字板２４の中心孔（図１において符号ｃで示す）まで貫通して先端を文字板２４の表側に露出する。そして、先端に、時針２５、分針２６、秒針２７を取り付ける。
【００５７】
そのようなムーブメント１３の裏ブタ１２側には、充電回路を設け、コイン型の二次電池３０をムーブメント１３と重ねて配置するとともに、その二次電池３０の周囲を囲むようにコイルボビン３１に環状に巻き付けて二次コイル３２を取り付ける。つまり、図示例では、二次電池３０と二次コイル３２とを、腕時計ケース１０内において同一平面に配置する。
【００５８】
また、腕時計ケース１０内において、回路基板１６の裏側には、ムーブメント１３と同一平面に、ＬＥＤ１７を駆動するＬＥＤ駆動回路３３を取り付ける。このＬＥＤ駆動回路３３は、外部操作に基づきＬＥＤ１７のすべてを点灯するＬＥＤ駆動態様を備える。また、外部操作に基づき、ストップウォッチ、アラーム、タイマ等の付加計時機能を働かせるＬＥＤ駆動態様を備える。
【００５９】
他方、図示腕時計は、外端にリューズ３５を取り付ける巻真３６を、腕時計ケース１０を貫通して挿入してムーブメント１３内に入れる。また、図示省略するが、外端にスイッチを取り付ける操作軸を、同様に腕時計ケース１０を貫通して挿入してムーブメント１３内に入れる。
【００６０】
そして、図示アナログ腕時計では、通常時は、デジタル表示用ＬＥＤ１７を点灯せず、二次電池３０でムーブメント１３を駆動して針２５〜２７を回転し、文字板２４の時刻表示を指して時刻をアナログ表示する。必要に応じ、適宜外部操作により、ＬＥＤ１７を点灯してそのＬＥＤ１７の光を遮光板２２の光透過孔２３で導光して文字板２４を透し、時刻、月日、曜日等をデジタル表示する。時刻修正時は、リューズ３５を操作して巻真３６を介してムーブメント１３を動かし、針２５〜２７を回す。
【００６１】
このように、アナログ表示とともにデジタル表示を行うことができる腕時計において、通常時は、ＬＥＤ１７を点灯せず、時刻をアナログ表示し、文字板２４で隠してＬＥＤ１７が見えないようにし、文字板２４にデジタル表示窓を開けたりする必要をなくしてデザイン上の制約を少なくし、デザイン上の多様性を確保することができる。また、必要に応じ、ＬＥＤ１７を点灯して文字板２４を透して時刻、月日、曜日等をデジタル表示するので、種々の色で、暗いところでも明るく表示し、表示の見栄えが悪いとか暗いところでは見にくいとかの液晶パネル特有の欠点を解消する一方、デジタル表示を文字板２４いっぱいに大きく見やすく表示することができる。
【００６２】
回路基板１６の中心孔ａを挟んで、ＬＥＤ１７を用いて構成したコロン１９を設け、そのコロン１９を挟んで、ＬＥＤ１７を用いて構成した７セグメント１８を２つずつ振り分けて配置するので、文字板２４に近い大きさの回路基板１６を用い、その回路基板１６いっぱいに７セグメント１８を配置することにより文字板２４を有効に利用してデジタル表示を大きく見やすくすることができる。
【００６３】
そして、図示例では、遮光板２２の光透過孔２３を透過してＬＥＤ１７の光を文字板２４の裏面に当て、文字板２４を透過するので、光透過孔２３で表示文字の輪郭を明確に区画して、デジタル表示を明瞭かつきれいに行うことができる。また、ＬＥＤ１７の光が遮光板２２の光透過孔２３内を透過するとき、ＬＥＤ１７の光を光透過孔２３の内面で反射して拡散するようにし、デジタル表示を部分的に明暗のムラを生ずることなく、全体を均一かつきれいに表示することができる。
【００６４】
一方、図示例では、文字板２４、遮光板２２、回路基板１６、アナログムーブメント１３、ＬＥＤ駆動回路３３などの構成部品をコンパクトにまとめて腕時計ケース１０内に収納し、腕時計全体を小型化することができる。そして、図示アナログ腕時計では、運針軸１５が貫通する回路基板１６の中心孔を挟んでＬＥＤ１７を設け、それらのＬＥＤ１７を用いてコロン１９を構成することで、アナログ表示とともにデジタル表示も文字板いっぱいに表示可能とし、アナログ表示とデジタル表示をともに大きく見やすく表示することができる。
【００６５】
このとき、光透過孔２３ごとにそれぞれＬＥＤ１７を各１つずつ対応して設けるので、ＬＥＤ１７の数を最小限とし、駆動回路構成を簡素化してコストダウンを図ることができる。また、文字板２４の、少なくとも光透過孔２３に対応する位置に光拡散加工を施すので、ＬＥＤ１７の数を少なくしたとしても、そのＬＥＤ１７の光を拡散して光透過孔２３に光を均一に透過し、きれいなデジタル表示を行うことができる。
【００６６】
また、図示例では、ＬＥＤ駆動回路３３に、外部操作に基づきＬＥＤ１７のすべてを点灯するＬＥＤ駆動態様を備えるので、例えば暗いところで鍵穴等が見にくいときなど、明かりが必要なところでは、外部操作によりＬＥＤ駆動回路３３を働かせてＬＥＤ１７のすべてを点灯することができる。そして、二次電池３０を電源として風防ガラス１１を透して外部を照射し、時刻等の表示用ＬＥＤ１７をそのまま照明用としても利用し、別途照明光源を備えることにより大型化したり見栄えを悪くしたりすることなく、まわりを照らすことができる。
【００６７】
さらに、図示例では、ＬＥＤ駆動回路３３に、不図示のスイッチの外部操作に基づき、ストップウォッチ、アラーム、タイマ等の付加計時機能を働かせるＬＥＤ駆動態様を備えるので、アナログ表示とともにデジタル表示を行うことができる腕時計において、さらに機能アップして付加価値を高めることができる。
【００６８】
不図示のスイッチをさらにもう一度外部操作すると、ＬＥＤ１７を消灯する。もちろん、残照時間を設定してスイッチ操作後一定時間が経過して後、ＬＥＤ１７を自動的に消灯するようにしてもよい。また、１つのスイッチではなく、複数のスイッチを設けてそれらのスイッチを操作して表示を切り換えたり、点灯消灯したりするようにしてもよい。
【００６９】
ところで、図示腕時計では、使用により二次電池３０の電池容量が低下したときは、不図示の充電器上に載せて電磁誘導方式を用いて充電する。つまり、ＡＣコードを介して供給されるＡＣ電流を流して充電器の一次コイルで交流磁界を発生し、この交流磁界により図示腕時計の二次コイル３２に交流電流を発生し、整流回路で整流して直流電流として二次電池３０を充電する。
【００７０】
電源として二次電池３０を使用するので、ＬＥＤ１７を多用することにより電池がなくなっても電池交換をすることなく充電するだけでよいから、電池寿命を気にする必要なく、かつ電池交換の煩わしさや費用を気にすることなく、照明機能を存分に使うことができる。これにより、液晶パネルに比べて消費電力の大きいＬＥＤ１７を用いてデジタル表示を行うことによる欠点を解消することができる。
【００７１】
なお、図示例では、電磁誘導方式を用いて充電回路の二次電池３０を充電したが、二次電池３０を太陽電池や、直接電源端子を接続して充電するようにしてもよい。二次コイル３２を備え、電磁誘導方式を用いて二次電池３０を充電可能とすると、デザイン上の制約を受けないとともに、防水構造を複雑にすることなく、簡単かつ確実な充電を可能とすることができる。
【図面の簡単な説明】
【００７２】
【図１】デジタル表示を行うことができるこの発明に係るアナログ腕時計の概略縦断面図である。
【図２】その腕時計で用いる回路基板の平面図である。
【図３】その腕時計で用いる遮光板の平面図である。
【図４】（Ａ）（Ｂ）は、その遮光板の構成例を示す部分縦断面図である。
【図５】（Ａ）（Ｂ）（Ｃ）は、それぞれ文字板の構成例を示す図である。
【符号の説明】
【００７３】
１３    アナログムーブメント
１５    運針軸
１６    回路基板
１７    薄型チップＬＥＤ（デジタル表示用ＬＥＤ）
１８    ７セグメント
１９    コロン
２２    遮光板
２３    光透過孔
２４    文字板
３０    二次電池
３２    二次コイル
３３    ＬＥＤ駆動回路
４０    樹脂板
４２    色印刷
４３    光拡散用の白印刷
４４    凹凸
４５    光拡散用の印刷
５０    光を拡散する塗装
５１    光を遮る塗装
ａ      回路基板の中心孔
【図１】
2006300916.tif 000003
【図２】
2006300916.tif 000004
【図３】
2006300916.tif 000005
【図４】
2006300916.tif 000006
【図５】
2006300916.tif 000007